【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
画像を撮影する撮像手段と、
上記撮像手段によって撮影された撮像画像をパターン化した画像パターンを生成するパターン化手段と、
複数の登録画像パターンと音楽データを加工する際の音響効果とが対応付けられて登録されるパターン記憶手段と、
上記パターン化手段によって生成された画像パターンと上記パターン記憶手段に登録されている各登録画像パターンとを比較する比較手段と、
上記比較手段による比較結果に応じて、記録媒体に記録されている音楽データを加工する音響処理手段と、
上記音響処理手段によって加工された音楽データを再生する音楽再生手段と
を備えることを特徴とする情報処理装置。
【請求項２】
上記パターン化手段は、上記撮像画像を所定数のブロックから構成され各ブロックの画素値を平均したブロック平均画像に変換し、全ブロックの画素値を所定の順序で並べた特徴ベクトルを上記画像パターンとして生成することを特徴とする請求項１記載の情報処理装置。
【請求項３】
上記音響処理手段は、上記パターン化手段によって生成された画像パターンと上記パターン記憶手段に登録されている一の登録画像パターンとが略々一致する場合、該一の登録画像パターンに対応付けられた音響効果に従って、上記記録媒体に記録されている音楽データを加工することを特徴とする請求項１記載の情報処理装置。
【請求項４】
上記パターン化手段によって生成された画像パターンと上記パターン記憶手段に登録されている登録画像パターンとが一致しない場合に、上記生成された画像パターンと、ユーザの設定した音響効果と、上記撮像画像のサムネイル画像と、上記記録媒体に記録されている一の音楽データとを対応付けて上記パターン記憶手段に登録する登録手段をさらに備えることを特徴とする請求項１記載の情報処理装置。
【請求項５】
各種画像を表示する表示手段をさらに備え、
上記音楽再生手段によって上記一の音楽データが再生される場合、上記表示手段には該一の音楽データに対応付けられたサムネイル画像又は上記撮像画像が表示される
ことを特徴とする請求項４記載の情報処理装置。
【請求項６】
上記記録媒体は、着脱可能とされていることを特徴とする請求項１記載の情報処理装置。
【請求項７】
画像を撮影する撮像工程と、
上記撮像工程にて撮影された撮像画像をパターン化した画像パターンを生成するパターン化工程と、
上記パターン化工程にて生成された画像パターンと、音楽データを加工する際の音響効果と対応付けられて登録されるパターン記憶手段に登録されている各登録画像パターンとを比較する比較工程と、
上記比較工程における比較結果に応じて、記録媒体に記録されている音楽データを加工する音響処理工程と、
上記音響処理工程にて加工された音楽データを再生する音楽再生工程と
を有することを特徴とする情報処理方法。
【請求項８】
上記パターン化工程では、上記撮像画像を所定数のブロックから構成され各ブロックの画素値を平均したブロック平均画像に変換し、全ブロックの画素値を所定の順序で並べた特徴ベクトルを上記画像パターンとして生成することを特徴とする請求項７記載の情報処理方法。
【請求項９】
上記音響処理工程では、上記パターン化工程にて生成された画像パターンと上記パターン記憶手段に登録されている一の登録画像パターンとが略々一致する場合、該一の登録画像パターンに対応付けられた音響効果に従って、上記記録媒体に記録されている音楽データを加工することを特徴とする請求項７記載の情報処理方法。
【請求項１０】
上記パターン化工程にて生成された画像パターンと上記パターン記憶手段に登録されている登録画像パターンとが一致しない場合に、上記生成された画像パターンと、ユーザの設定した音響効果と、上記撮像画像のサムネイル画像と、上記記録媒体に記録されている一の音楽データとを対応付けて上記パターン記憶手段に登録する登録工程をさらに有することを特徴とする請求項７記載の情報処理方法。
【請求項１１】
上記一の音楽データが再生される場合、該一の音楽データに対応付けられたサムネイル画像又は上記撮像画像が表示手段に表示される
ことを特徴とする請求項１０記載の情報処理方法。
【請求項１２】
上記記録媒体は、着脱可能とされていることを特徴とする請求項７記載の情報処理方法。
【請求項１３】
複数の原画像についてのサムネイル画像と、上記複数の原画像から得られた登録画像パターンと、音楽データを加工する際の音響効果とがそれぞれ対応付けられて登録されるパターン記憶手段と、
上記パターン記憶手段に登録される音響効果に従って、記録媒体に記録されている音楽データを加工する音響処理手段と、
上記音響処理手段によって加工された音楽データを再生する音楽再生手段とを備え、
上記音響処理手段は、選択されたサムネイル画像に対応付けられた音響効果に従って、再生する音楽データを加工する
ことを特徴とする情報処理装置。
【請求項１４】
上記音響処理手段は、上記再生する音楽データを加工する前に、上記選択されたサムネイル画像に対応付けられた音響効果に従って、該選択されたサムネイル画像に対応付けられた音楽データを加工し、
上記音楽再生手段は、加工後の上記選択されたサムネイル画像に対応付けられた音楽データを再生する
ことを特徴とする請求項１３記載の情報処理装置。
【請求項１５】
複数の原画像についてのサムネイル画像と、上記複数の原画像から得られた登録画像パターンと、音楽データを加工する際の音響効果とがそれぞれ対応付けられて登録されるパターン記憶手段から、所望のサムネイル画像を選択するサムネイル画像選択工程と、
上記所望のサムネイル画像に対応付けられた音響効果に従って、再生する音楽データを加工する音響処理工程と、
上記音響処理工程にて加工された上記音楽データを再生する音楽再生工程と
を有することを特徴とする情報処理方法。
【請求項１６】
上記音響処理工程にて上記音楽データを加工する前に、上記所望のサムネイル画像に対応付けられた音響効果に従って、該所望のサムネイル画像に対応付けられた音楽データを加工して再生する試聴工程をさらに有する
ことを特徴とする請求項１５記載の情報処理方法。
【手続補正２】
【補正対象書類名】明細書
【補正対象項目名】０００９
【補正方法】変更
【補正の内容】
【０００９】
上述した目的を達成するために、本発明に係る情報処理装置は、画像を撮影する撮像手段と、上記撮像手段によって撮影された撮像画像をパターン化した画像パターンを生成するパターン化手段と、複数の登録画像パターンと音楽データを加工する際の音響効果とが対応付けられて登録されるパターン記憶手段と、上記パターン化手段によって生成された画像パターンと上記パターン記憶手段に登録されている各登録画像パターンとを比較する比較手段と、上記比較手段による比較結果に応じて、記録媒体に記録されている音楽データを加工する音響処理手段と、上記音響処理手段によって加工された音楽データを再生する音楽再生手段とを備える。
【手続補正３】
【補正対象書類名】明細書
【補正対象項目名】００１０
【補正方法】変更
【補正の内容】
【００１０】
また、上述した目的を達成するために、本発明に係る情報処理方法は、画像を撮影する撮像工程と、上記撮像工程にて撮影された撮像画像をパターン化した画像パターンを生成するパターン化工程と、上記パターン化工程にて生成された画像パターンと、音楽データを加工する際の音響効果と対応付けられて登録されるパターン記憶手段に登録されている各登録画像パターンとを比較する比較工程と、上記比較工程における比較結果に応じて、記録媒体に記録されている音楽データを加工する音響処理工程と、上記音響処理工程にて加工された音楽データを再生する音楽再生工程とを有する。
【手続補正４】
【補正対象書類名】明細書
【補正対象項目名】００１２
【補正方法】変更
【補正の内容】
【００１２】
また、上述した目的を達成するために、本発明に係る情報処理装置は、複数の原画像についてのサムネイル画像と、上記複数の原画像から得られた登録画像パターンと、音楽データを加工する際の音響効果とがそれぞれ対応付けられて登録されるパターン記憶手段と、上記パターン記憶手段に登録される音響効果に従って、記録媒体に記録されている音楽データを加工する音響処理手段と、上記音響処理手段によって加工された音楽データを再生する音楽再生手段とを備え、上記音響処理手段は、選択されたサムネイル画像に対応付けられた音響効果に従って、再生する音楽データを加工する。
【手続補正５】
【補正対象書類名】明細書
【補正対象項目名】００１３
【補正方法】変更
【補正の内容】
【００１３】
また、上述した目的を達成するために、本発明に係る情報処理方法は、複数の原画像についてのサムネイル画像と、上記複数の原画像から得られた登録画像パターンと、音楽データを加工する際の音響効果とがそれぞれ対応付けられて登録されるパターン記憶手段から、所望のサムネイル画像を選択するサムネイル画像選択工程と、上記所望のサムネイル画像に対応付けられた音響効果に従って、再生する音楽データを加工する音響処理工程と、上記音響処理工程にて加工された上記音楽データを再生する音楽再生工程とを有する。